(57)【特許請求の範囲】
【請求項１】
水中に設置され海洋生物の産卵場所を提供する産卵礁であって、
沈水可能な基礎構造体と、
前記基礎構造体に固定されるとともに産卵面を構成する陰極と、
前記基礎構造体に固定される陽極と、を備え、
前記基礎構造体は、複数本の支柱を含み、
前記陰極は、前記支柱に固定された平板形状を備え、
前記陽極は、前記陰極に対して所定の電位差を有する金属材により構成されるとともに前記支柱に固定されたブロック形状又はインゴット形状を備え、
前記陰極及び前記陽極は、前記基礎構造体を介して通電され、前記陰極の表面に被膜を形成する、
ことを特徴とする産卵礁。
【請求項２】
前記陽極は、固定部材を介して前記基礎構造体に通電可能に構成されている、ことを特徴とする請求項１に記載の産卵礁。
【請求項３】
前記陰極は、複数配置されており、前記陽極は、前記複数の陰極の間に位置するように配置されている、ことを特徴とする請求項１又は２に記載の産卵礁。
【請求項４】
水中に設置された海洋生物の住処を提供する人工魚礁において、
請求項１〜請求項３の何れか一項に記載の産卵礁が配置されている、ことを特徴とする人工魚礁。
【発明の詳細な説明】
【技術分野】
【０００１】
本発明は、産卵礁及び人工魚礁に関し、特に、海洋生物の産卵場所の提供に適した産卵礁及び人工魚礁に関する。
【背景技術】
【０００２】
例えば、水深１００〜２００ｍ程度の漁場で採取可能な、魚類、海草類、カキやアワビ等の貝類、エビやカニ等の甲殻類、イカやタコ等の軟体動物等の海洋生物は、それ自体が貴重な食料源であるとともに、他の海洋生物に捕食されることによって海洋生態系の一部を担っている。したがって、これらの海洋生物を増殖させることは有意義である。
【０００３】
また、海洋生物の中には、ユウレイボヤやシロガヤ等が付着したような汚れた面を避け、石灰藻やフジツボが付着している程度の比較的汚れの少ない面を好んで産卵する種類も存在している（例えば、ヤリイカ等）。かかる海洋生物の産卵場所の提供方法として、例えば、特許文献１には、産卵礁を水中に設置した後、産卵礁の一部に電着被膜を形成し、増殖対象である海洋生物の産卵時期の直前に電着被膜を剥離して付着物を除去した後、電着被膜を再形成する方法が開示されている。
【先行技術文献】
【特許文献】
【０００４】
【特許文献１】特開２０１４−１６８４２２号公報
【発明の概要】
【発明が解決しようとする課題】
【０００５】
しかしながら、特許文献１に記載された産卵礁では、陽極と陰極との間で通電させる構造が複雑であり、製造コストが嵩んでしまうという問題があった。また、外部電源を産卵礁と別体に構成した場合には電池交換の作業が面倒であるという問題もあった。
【０００６】
本発明は、上述した問題点に鑑み創案されたものであり、製造コストを低減することができ、電池交換を容易に行うことができる、産卵礁及び人工魚礁を提供することを目的とする。
【課題を解決するための手段】
【０００７】
本発明によれば、水中に設置され海洋生物の産卵場所を提供する産卵礁であって、沈水可能な基礎構造体と、前記基礎構造体に固定されるとともに産卵面を構成する陰極と、前記基礎構造体に固定される陽極と、を備え、前記基礎構造体は、複数本の支柱を含み、前記陰極は、前記支柱に固定された平板形状を備え、前記陽極は、前記陰極に対して所定の電位差を有する金属材により構成されるとともに前記支柱に固定されたブロック形状又はインゴット形状を備え、前記陰極及び前記陽極は、前記基礎構造体を介して通電され、前記陰極の表面に被膜を形成する、ことを特徴とする産卵礁が提供される。

【０００８】
また、本発明によれば、水中に設置された海洋生物の住処を提供する人工魚礁において、水中に設置され海洋生物の産卵場所を提供する産卵礁であって、
沈水可能な基礎構造体と、前記基礎構造体に固定されるとともに産卵面を構成する陰極と、前記基礎構造体に固定される陽極と、を備え、前記基礎構造体は、複数本の支柱を含み、前記陰極は、前記支柱に固定された平板形状を備え、前記陽極は、前記陰極に対して所定の電位差を有する金属材により構成されるとともに前記支柱に固定されたブロック形状又はインゴット形状を備え、前記陰極及び前記陽極は、前記基礎構造体を介して通電され、前記陰極の表面に被膜を形成する産卵礁が配置されている、ことを特徴とする人工魚礁が提供される。

【０００９】
前記産卵礁及び人工魚礁において、前記陽極は、固定部材を介して前記基礎構造体に通電可能に構成されていてもよい。
【００１０】
前記陰極は、複数配置されており、前記陽極は、前記複数の陰極の間に位置するように配置されていてもよい。
【発明の効果】
【００１１】
上述した本発明に係る産卵礁及び人工魚礁によれば、陰極及び陽極を基礎構造体に固定し、基礎構造体を介して通電させるようにしたことから、電池交換時には陽極を基礎構造体に取り付けるだけでよい。したがって、本発明によれば、産卵礁の製造コストを低減することができるとともに、電池交換を容易に行うことができる。
【図面の簡単な説明】
【００１２】
【図１】本発明の第一実施形態に係る産卵礁を示す斜視図である。
【図２】陽極を示す図であり、（ａ）は平面図、（ｂ）は断面図、である。
【図３】図１に示した産卵礁の使用方法の一例を示す説明図であり、（ａ）は初期状態、（ｂ）は被膜形成状態、（ｃ）は産卵状態、（ｄ）は生物付着状態、を示している。
【図４】本発明の第二実施形態に係る産卵礁を示す側面図である。
【図５】本発明の一実施形態に係る人工魚礁を示す図であり、（ａ）は正面図、（ｂ）は側面図、である。
【発明を実施するための形態】
【００１３】
以下、本発明に係る産卵礁及び人工魚礁の実施形態について、図１〜図５（ｂ）を用いて説明する。ここで、図１は、本発明の第一実施形態に係る産卵礁を示す斜視図である。図２は、陽極を示す図であり、（ａ）は平面図、（ｂ）は断面図、である。図３は、図１に示した産卵礁の使用方法の一例を示す説明図であり、（ａ）は初期状態、（ｂ）は被膜形成状態、（ｃ）は産卵状態、（ｄ）は生物付着状態、を示している。
【００１４】
本発明の第一実施形態に係る産卵礁１は、図１〜図３（ｄ）に示したように、水中に設置され海洋生物の産卵場所を提供する産卵礁であって、沈水可能な基礎構造体２と、基礎構造体２に固定されるとともに産卵面３１を構成する陰極３と、基礎構造体２に固定される陽極４と、を備え、陰極３及び陽極４は、基礎構造体２を介して通電され、陰極３の表面に被膜５を形成するように構成されている。
【００１５】
基礎構造体２は、例えば、四本の支柱２１と、隣り合う支柱を連結する複数の横骨２２と、により構成される。横骨２２は、支柱２１の上部に固定された四本の上部横骨と支柱２１の下部に固定された四本の下部横骨とを有している。支柱２１及び横骨２２は、例えば、鋼材により構成される。鋼材は、角型であってもよいし、Ｌ形鋼、Ｉ形鋼、Ｈ形鋼、溝形鋼等であってもよい。また、基礎構造体２には、防錆用の塗膜を施すようにしてもよい。なお、基礎構造体２は、図示した構成に限定されるものではなく、陰極３及び陽極４を固定可能な構造であればよい。
【００１６】
陰極３は、例えば、四本の支柱２１に固定される平板形状を有している。また、陰極３は、例えば、ＳＵＳ（ステンレス鋼）、炭素鋼、銅等の金属材により構成される。陰極３は、基礎構造体２の支柱２１にブラケットを介してボルト等の固定部材（図示せず）によって固定されている。このとき、陰極３は、ブラケット又は固定部材を介して基礎構造体２と通電可能に取り付けられる。なお、陰極３は、支柱２１に溶接によって固定するようにしてもよい。
【００１７】
陰極３は、図示したように、複数配置されている。具体的には、上部横骨と下部横骨との間に三枚の陰極３が略平行となるように支柱２１に固定されている。なお、陰極３の枚数は任意に設定することができ、一枚であってもよいし、二枚であってもよいし、四枚以上であってもよい。また、複数の陰極３は、均等な間隔で配置するようにしてもよいし、産卵対象の海洋生物の種類や生態に応じて異なる間隔で配置するようにしてもよい。
【００１８】
陽極４は、例えば、四本の支柱２１に固定されるブロック形状又はインゴット形状を有している。また、陽極４は、主として、陰極３に対して０．３〜１．０Ｖ程度の電位差を有する金属材（例えば、マグネシウム、マグネシウム合金、アルミニウム、アルミニウム合金、亜鉛、亜鉛合金等）によって構成される。陽極４は、基礎構造体２の支柱２１に固定部材４１（例えば、ボルト４１ａ及びナット４１ｂ等）によって固定されている。
【００１９】
具体的には、陽極４は、図２（ａ）及び図２（ｂ）に示したように、陽極４を構成する本体部４２と、本体部４２に埋め込まれた芯金４３と、芯金４３に固定された固定部材４１を埋め込む充填材４４と、を有している。本体部４２は、陽極４を構成する金属材により形成された略直方体形状を有している。本体部４２の一部（固定部材４１を配置したい箇所）には、縦孔４２ａが形成されている。
【００２０】
芯金４３は、略円板形状の金属板であり、中央部には固定部材４１（ボルト）を挿通する開口部４３ａが形成されている。また、芯金４３の外周部４３ｂは中心部４３ｃに対して図の上方にオフセットされた形状を有しており、この外周部４３ｂが本体部４２に埋め込まれている。また、芯金４３の中心部４３ｃの下面は、本体部４２の下面と同一平面を形成するように位置決めされている。なお、固定部材４１を構成するナット４１ｂは、中心部４３ｃの上面に溶接等により固定されていてもよい。
【００２１】
ボルト４１ａは、支柱２１に挿通された後、芯金４３の開口部４３ａに挿通され、ナット４１ｂに螺合される。ボルト４１ａを締め付けることによって陽極４は支柱２１に固定される。その後、本体部４２の縦孔４２ａは、芯金４３及び固定部材４１を防錆するために充填材４４によって埋め潰される。かかる構成により、固定部材４１及び芯金４３によって支柱２１と本体部４２とを通電可能に接続することができる。すなわち、陽極４は、固定部材４１を介して基礎構造体２に通電可能に構成されている。
【００２２】
なお、陽極４の構成は図示した構成に限定されるものではなく、例えば、直方体以外の形状であってもよいし、ナット４１ｂを予め本体部４２に埋め込んでおいてもよい。ナット４１ｂを本体部４２に埋め込んだ場合には、縦孔４２ａを省略することができ、充填材４４を省略することもできる。また、陽極４の固定方法は、図示した固定部材４１に限定されるものではない。また、固定部材４１を配置する箇所は二箇所に限定されるものではなく、一箇所であってもよいし、三箇所以上であってもよい。
【００２３】
また、陽極４は、図１に示したように、複数の陰極３の間に位置するように配置されている。具体的には、支柱２１に固定された三枚の陰極３によって形成される二つの隙間の略中央部に陽極４がそれぞれ固定される。陽極４は、各支柱２１に配置される。二枚の陰極３の間に陽極４を配置することにより、陽極４よりも上方の陰極３との間で電池を構成することができるとともに、陽極４よりも下方の陰極３との間でも電池を形成することができ、上方の陰極３の下面及び下方の陰極３の上面の両方に被膜５（電着被膜）を構成することができる。
【００２４】
なお、ここでは一つの陽極４により上下の陰極３との間で電池を構成する場合について説明したが、かかる配置に限定されるものではない。例えば、二つの陽極４を用いた場合には、一方の陽極４を上方の陰極３に近接した位置に配置し、他方の陽極４を下方の陰極３に近接した位置に配置するようにしてもよい。
【００２５】
次に、上述した産卵礁１の使用方法について、図３（ａ）〜図３（ｄ）を参照しつつ説明する。図３（ａ）は、陰極３及び陽極４により電池が構成される状態を模式的に図示したものである。陰極３及び陽極４は、基礎構造体２を導線として使用することにより電池を構成する。
【００２６】
産卵礁１を最初に水中（例えば、海底）に設置する際には、基礎構造体２に陰極３及び陽極４を固定した状態で産卵礁１を水中に投入する。産卵礁１を水中に沈めると、陰極３と陽極４との間には所定の電位差があることから水中において電池を構成し、陰極３と陽極４との間で通電を開始する。
【００２７】
この通電により、水中に存在するマグネシウムイオン（Ｍｇ２＋）やカルシウムイオン（Ｃａ２＋）がＭｇ（ＯＨ）２やＣａＣＯ３の化合物として陰極３の表面に析出し、図３（ｂ）に示したように、被膜５が形成される。例えば、陽極４としてマグネシウム合金を用いた場合には、陽極４から水中にマグネシウムイオン（Ｍｇ２＋）が溶出し、被膜５の形成が促進される。なお、図３（ｂ）〜図３（ｄ）では、陽極４の本体部４２が完全に溶けた状態を図示しており、陽極４の図を省略してある。
【００２８】
ここで、被膜５の形成方法の原理について簡単に説明する。陰極３と陽極４との間で通電すると、陰極３の表面付近で水の電気分解反応が起こり、水素と水酸化物イオンが発生する。水素は空気中に発散し、水酸化物イオンはＰＨ値を上昇させる。ＰＨ値が８以上に上昇すると海水中のカルシウムイオンと炭酸イオンが結合し、炭酸カルシウム（ＣａＣＯ３）を形成する。ＰＨ値が９以上に上昇するとマグネシウムイオンと水酸化物イオンが結合し、水酸化マグネシウムＭｇ（ＯＨ）２を形成する。
【００２９】
被膜５の形成が完了する時期を対象となる海洋生物の産卵時期と合わせることにより、図３（ｃ）に示したように、被膜５が形成された表面（産卵面３１）に卵Ｅが産み付けられる。例えば、ヤリイカの場合には、ユウレイボヤやシロガヤ等の海洋生物の付着が少ない天井面を好んで産卵する傾向があり、本実施形態に係る産卵礁１に好適である。
【００３０】
卵Ｅが孵化して一定の時間を経過すると、図３（ｄ）に示したように、フジツボ、ユウレイボヤ、シロガヤ等の海洋生物が被膜５の上に付着して蓄積層６が形成される。この蓄積層６が形成されるとヤリイカのようなきれいな面を好む海洋生物については産卵数が減少してしまうこととなる。また、蓄積層６が厚くなると陰極３間の隙間が小さくなり、産卵しようとする海洋生物が内部に入り難くなってしまい、産卵数が減少してしまうこととなる。
【００３１】
そこで、次年度の産卵時期に合わせたタイミング又は蓄積層６が一定の厚さになったタイミング（例えば、数年経過後）で被膜５を陰極３から剥離する。被膜５は強度的に弱い層であることから、高圧水洗浄やヘラ等の工具により容易に剥離することができる。この被膜５の剥離は、潜水士が産卵礁１の位置まで潜水して作業を行ってもよいし、産卵礁１を地上に引き上げて地上で作業を行ってもよい。被膜５を剥離することによって蓄積層６も一緒に除去することができる。
【００３２】
そして、陰極３の表面に新たな被膜５を形成するために陽極４を基礎構造体２に固定すると、図３（ａ）に示した状態に戻り、被膜５の形成が始まる。以後、上述した図３（ａ）〜図３（ｄ）の工程を繰り返す。
【００３３】
上述した本実施形態に係る産卵礁１によれば、陰極３及び陽極４を基礎構造体２に固定し、基礎構造体２を介して通電させるようにしたことから、電池交換時には陽極４を基礎構造体２に取り付けるだけでよい。したがって、本実施形態によれば、産卵礁１の製造コストを低減することができるとともに、電池交換を容易に行うことができる。
【００３４】
次に、本発明の第二実施形態に係る産卵礁１について図４を参照しつつ説明する。ここで、図４は、本発明の第二実施形態に係る産卵礁を示す側面図である。なお、上述した第一実施形態に係る産卵礁１と同一の構成要素については、同一の符号を付して重複した説明を省略する。
【００３５】
図４に示した第二実施形態に係る産卵礁１は、陰極３と陰極３との間に横骨２３を追加したものである。また、この横骨２３に陽極４を配置するようにしてもよい。かかる構成により、陰極３の表面に被膜５を形成するための陽極４を陰極３の外周に複数配置することができ、均等に又は効果的に被膜５を形成することができる。また、陽極４の個数を増やすことにより、被膜５の形成時間を短縮することもできる。
【００３６】
次に、本発明の一実施形態に係る人工魚礁１０について図５を参照しつつ説明する。ここで、図５は、本発明の一実施形態に係る人工魚礁を示す図であり、（ａ）は正面図、（ｂ）は側面図、である。
【００３７】
本実施形態に係る人工魚礁１０は、水中に設置され海洋生物の住処を提供する人工魚礁であって、上述した第一実施形態又は第二実施形態に係る産卵礁１が配置されたものである。人工魚礁１０は、例えば、全体の外形が略三角柱であるコンクリート構造体である。図示した人工魚礁１０は、三枚のコンクリートパネル１１と、三角形の頂点に均等な間隔で配置された複数のコンクリートリング１２と、により構成されている。なお、人工魚礁１０は、図示した構造に限定されるものではない。
【００３８】
図５（ａ）及び図５（ｂ）に示したように、人工魚礁１０を横に配置した状態で底面に位置するコンクリートパネル１１には産卵礁１が固定されている。産卵礁１の固定は人工魚礁１０を水中に沈める前に行う。また、産卵礁１は、人工魚礁１０の大きな開口部である出入口付近に配置することが好ましい。この位置に産卵礁１を配置することにより、電池交換等のメンテナンスを容易に行うことができる。
【００３９】
本発明は上述した実施形態に限定されず、増殖対象である海洋生物の習性に応じて、陰極３及び陽極４の形状、間隔、配置場所等の条件を適宜変更することができる等、本発明の趣旨を逸脱しない範囲で種々変更が可能であることは勿論である。
【符号の説明】
【００４０】
１  産卵礁
２  基礎構造体
３  陰極
４  陽極
５  被膜
６  蓄積層
１０  人工魚礁
１１  コンクリートパネル
１２  コンクリートリング
２１  支柱
２２，２３  横骨
３１  産卵面
４１  固定部材
４１ａ  ボルト
４１ｂ  ナット
４２  本体部
４２ａ  縦孔
４３  芯金
４３ａ  開口部
４３ｂ  外周部
４３ｃ  中心部
４４  充填材
【図１】
0006663307.tif 000002
【図２】
0006663307.tif 000003
【図３】
0006663307.tif 000004
【図４】
0006663307.tif 000005
【図５】
0006663307.tif 000006